(57)【特許請求の範囲】
【請求項１】
集積部を備える媒体処理装置であって、
前記集積部は、媒体を集積する集積ステージおよび第１貫通孔を備える第１集積ベースと、
前記第１貫通孔に対応する第２貫通孔を備え、前記第１集積ベースを載置する第２集積ベースと、
前記媒体処理装置の筐体の一面にあり、前記媒体処理装置の外部並びに前記集積部の前記第１集積ベースおよび前記第２集積ベースとの間に位置する開口部と、
前記開口部を開閉する扉と、
を備え、
前記第１貫通孔と前記第２貫通孔は、同一の貫通部材によって挿通されて固着されており、
前記貫通部材の頭部は、前記開口部の開口面側を向いている、媒体処理装置。
【請求項２】
前記第２集積ベースは、前記第１集積ベースよりも、前記媒体の有無を検出する検知部を多く備える、請求項１に記載の媒体処理装置。
【請求項３】
前記第１集積ベースは、前記検知部を備えていない、請求項２に記載の媒体処理装置。
【請求項４】
前記第１貫通孔は、鉛直方向から前記開口部側に傾斜した方向に貫通し、
前記第２貫通孔は、鉛直方向から前記開口部側に傾斜した方向に貫通する、請求項１〜３のいずれか一項に記載の媒体処理装置。
【請求項５】
前記第１貫通孔及び前記第２貫通孔は、前記開口部の開口面と交差する方向に貫通する、請求項４に記載の媒体処理装置。
【請求項６】
前記第１貫通孔及び前記第２貫通孔は、前記開口部の前記開口面に対して略垂直方向に貫通する、請求項１〜３のいずれか一項に記載の媒体処理装置。
【請求項７】
前記第１貫通孔は、前記開口部と前記第２貫通孔との間に位置する、請求項１〜６のいずれか１項に記載の媒体処理装置。
【請求項８】
前記第２集積ベースは、当該第２集積ベースを支持する前記集積部の筐体と固着しており、前記第１集積ベースは前記筐体と固着していない、請求項１〜７のいずれか１項に記載の媒体処理装置。
【請求項９】
前記第２集積ベースは、前記検知部を備える第２集積ベース本体部と、前記第２集積ベース本体部に固着する第２集積ベース追加部を備え、
前記第２集積ベース追加部は、前記検知部を備える、請求項２又は請求項２に従属する請求項３〜８のいずれか１項に記載の媒体処理装置。
【請求項１０】
前記集積ステージは、載置部とバネ部を有し、当該載置部と当該バネ部は一体型構造である、請求項１〜９のいずれか１項に記載の媒体処理装置。
【発明の詳細な説明】
【技術分野】
【０００１】
本発明は、媒体処理装置に関する。
【背景技術】
【０００２】
従来から、紙幣等の紙葉類等の媒体をセットして一枚ずつ繰り出し、識別して分類して整理する紙幣処理装置（媒体処理装置）が、よく知られている。このような媒体処理装置として、例えば紙幣処理装置は、操作者によりセットされた紙幣を取り込む取込部と、取り込まれた紙幣の正損状態と金種とを鑑別し、且つ、紙幣を計数する鑑別部と、紙幣を金種ごとに集積する複数の集積部と、集積された紙幣を所定の枚数ごとに結束する結束部と、集積部から結束部へ集積された紙幣を移送する移送部と、紙幣を紙幣処理装置内の各所へ搬送する搬送部と、鑑別部での鑑別結果に基づいて、紙幣を各集積部へ搬送するように搬送部を制御する制御部と、を主に有する（例えば、特許文献１）。例えば、銀行等の金融機関においては、精査時に回収した紙幣を一定枚数毎（例えば１００枚）に束ねて整理する。
【先行技術文献】
【特許文献】
【０００３】
【特許文献１】特開２０１４−１８６６３７号公報
【発明の概要】
【発明が解決しようとする課題】
【０００４】
集積部には、紙幣を集積する集積ステージが板ばね等で構成されている。集積部でのジャム除去等により、集積ステージから紙幣を取り除く際に、操作者が板ばねを変形させてしまうおそれがある。板ばねの変形により変形量が大きくなった集積ステージは、集積不良の原因となるため、集積ステージを交換する必要がある。ただし、集積ステージは、紙幣を正確に集積するため、集積部に正確に位置決めされることを要する。そのため、変形するおそれのある板バネを有する集積ステージのみを交換することは困難である。そこで、集積ステージを、第１集積ベースと共に紙幣処理装置から取り出す必要がある。しかしながら、第１集積ベースは、第２集積ベースよりも多くセンサが備えられており、センサが備えるコードも多い。そのため、多くのコードの存在によって、集積ステージを伴って第１集積ベースを紙幣処理装置から外部へ取り出すことは困難である。
【０００５】
そこで、本発明は、上記問題に鑑みてなされたものであり、本発明の目的とするところは、集積ステージを容易に取り出すことができる、新規かつ改良された媒体処理装置を提供することにある。
【課題を解決するための手段】
【０００６】
上記課題を解決するために、本発明のある観点によれば、集積部を備える媒体処理装置であって、前記集積部は、媒体を集積する集積ステージおよび第１貫通孔を備える第１集積ベースと、前記第１貫通孔に対応する第２貫通孔を備え、前記第１集積ベースを載置する第２集積ベースと、前記媒体処理装置の筐体の一面にあり、前記媒体処理装置の外部並びに前記集積部の前記第１集積ベースおよび前記第２集積ベースとの間に位置する開口部と、前記開口部を開閉する扉と、を備え、前記第１貫通孔と前記第２貫通孔は、同一の貫通部材によって挿通されて固着されており、前記貫通部材の頭部は、前記開口部の開口面側を向いている、媒体処理装置が提供される。
【０００７】
前記第２集積ベースは、前記第１集積ベースよりも、前記媒体の有無を検出する検知部を多く備えていてもよい。また、前記第１集積ベースは、前記検知部を備えていなくともよい。
【０００８】
前記第１貫通孔は、鉛直方向から前記開口部側に傾斜した方向に貫通し、前記第２貫通孔は、鉛直方向から前記開口部側に傾斜した方向に貫通していてもよい。
【０００９】
前記第１貫通孔及び前記第２貫通孔は、前記開口部の開口面と交差する方向に貫通してもよい。
【００１０】
前記第１貫通孔及び前記第２貫通孔は、前記開口部の前記開口面に対して略垂直方向に貫通してもよい。
【００１２】
前記第１貫通孔は、前記開口部と前記第２貫通孔との間に位置してもよい。
【００１３】
前記第２集積ベースは、当該第２集積ベースを支持する前記集積部の筐体と固着しており、前記第１集積ベースは前記筐体と固着していなくてもよい。
【００１４】
前記第２集積ベースは、前記検知部を備える第２集積ベース本体部と、前記第２集積ベース本体部に固着する第２集積ベース追加部を備え、前記第２集積ベース追加部は、前記検知部を備えてもよい。
【００１６】
前記集積ステージは、載置部とバネ部を有し、当該載置部と当該バネ部は一体型構造であってもよい。
【発明の効果】
【００１７】
以上説明したように本発明によれば、媒体処理装置から媒体を載置する集積ステージを容易に取り出すことができる媒体処理装置を提供することができる。
【図面の簡単な説明】
【００１８】
【図１】紙幣処理装置の基本構成を示す概略側面図である。
【図２】紙幣処理装置の筐体にある開口部周辺４００を拡大した模式図である。扉の開口部周辺を拡大した模式図である。
【図３】比較例の集積部の構成を示す正面模式図である。
【図４】図３の比較例の集積部の構成を示す側面模式図である。
【図５】図４の比較例の集積部の第１集積ベースと第２集積ベースを分離した状態を示す側面模式図である。
【図６】本発明の実施形態の集積部の構成を示す正面模式図である。
【図７】図６の本発明の実施形態の集積部の構成を示す側面模式図である。
【図８】図７の本発明の実施形態の集積部の第１集積ベースと第２集積ベースを分離した状態を示す断面模式図である。
【図９】本発明の実施形態において、第２集積ベースにセンサを備える第２集積ベース追加部を固着した態様を示す断面模式図である。
【図１０】放出ローラから放出される紙幣と集積前の集積ステージの載置部との位置関係を示す側面模式図である。
【図１１】放出ローラから放出される紙幣と集積中の集積ステージの載置部との位置関係を示す側面模式図である。
【図１２】開口面と交差する貫通部材等の方向について示す図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する場合がある。
【００２０】
また、本明細書及び全図面において、実質的に共通する複数の構成要素を、同一の符号の後に異なるアルファベットを付して区別する場合もある。例えば、実質的に共通する複数の構成要素を、必要に応じて集積部１１０ａおよび集積部１１０ｂのように区別する。ただし、実質的に共通する複数の構成要素の各々を特に区別する必要がない場合、同一符号のみを付する。例えば、集積部１１０ａおよび集積部１１０ｂを特に区別する必要が無い場合には、単に集積部１１０と称する。
【００２１】
以下に説明する実施形態においては、金融機関や店舗等のバックヤードにおいて、紙幣を金種ごとに分類し、計数し、さらに所定数ごとに結束する紙幣処理装置に適用した場合について説明する。なお、本実施形態は、このような装置に限定されるものではなく、紙葉類等の媒体を分類、整理する機構を有する媒体処理装置に適用することができる。例えば、プリンタやコピー機等の紙葉類を取り扱う装置や、小切手やチケット、郵便物等を扱う装置等に適用することができる。
【００２２】
また、以下の説明において、搬送異常とは、搬送部にて紙幣（紙状媒体）同士が重なったり、紙幣同士が異常に近接したりすること、及び、スキュー（斜行）のことをいう。なお、スキュー（斜行）とは、長方形状の紙幣が、紙幣を搬送する搬送部の延びる方向に沿った正しい方向を向いた状態（紙幣の長辺の向きが搬送部の延びる方向と同じ状態）で搬送されていない場合、すなわち、紙幣が上記正しい方向に対して斜めに傾いた方向を向いた状態（長方形の紙幣の長辺の向きが搬送部の延びる方向に対して斜めに傾いた状態）で搬送されていることをいう。
【００２３】
＜紙幣処理装置の基本構成の説明＞
まずは、本発明の実施形態の紙幣処理装置及び比較例の紙幣処理装置に共通する構成について、紙幣処理装置１０を基に説明する。紙幣処理装置１０は、操作者により投入された例えば紙幣のような紙状媒体を整理するための装置である。詳細には、投入された紙幣を鑑別し、計数し、得られた鑑別結果に基づいて紙幣の金種ごとに集積し、集積された紙幣を所定の枚数ごとに結束する紙幣整理処理を行う。なお、以下の説明においては、紙状媒体として紙幣を整理する紙幣処理装置１０を本実施形態に係る媒体処理装置の一例として説明するが、本発明の実施形態においては、媒体は紙幣に限定されるものではない。
【００２４】
図１は、紙幣処理装置の基本構成を示す概略側面図である。なお、図１においては、紙幣処理装置１０の左側が前面であり、操作者は、紙幣処理装置の左側に位置して前面より操作するものとする。
【００２５】
紙幣処理装置１０は、図１に示すように、取込部１００、鑑別部１０２、リジェクトポケット１０４、オープンポケット１０６、表裏反転部１０８、集積部１１０ａ〜１１０ｅ、移送部１１２、紙幣結束部１１４、搬送部１１６、検知部１１８、操作表示部１２０、操作部１２２、記憶部１２４、外部インターフェース部１２６、制御部１２８、及び扉１３４を主に有する。
【００２６】
（取込部１００）
取込部１００は、紙幣処理装置１０の操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出される。なお、取込部１００は、ビルプレス１５８の移動量を検知するセンサ（図示省略）等を有することによって、紙幣処理装置１０に投入された全ての紙幣の処理の完了（投入完了）を検知することができるように構成してもよい。
【００２７】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種などの紙幣の種類、正券（例えば、汚れが少ない紙幣）であるか損券（例えば、汚れが多い紙幣）であるかといった紙幣の正損、鑑別時における紙幣の表裏の向きを鑑別することができる。さらに、鑑別部１０２は、鑑別した紙幣を紙幣の種別ごとに計数することができ、計数した紙幣に記載された記番号を読み取ることもできる。なお、鑑別部１０２により鑑別された紙幣は、鑑別部１０２の排出口１０２ａから排出され、鑑別結果に基づいて、搬送部１１６により搬送先（例えば各集積部１１０ａ〜１１０ｅ）に搬送される。
【００２８】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図１に示した例においては、リジェクトポケット１０４は、紙幣処理装置１０内の上方に設けられており、リジェクトポケット１０４に格納された紙幣を、紙幣処理装置１０の操作者が容易に回収することが可能である。
【００２９】
（オープンポケット１０６）
オープンポケット１０６は、本実施形態における結束対象外紙幣格納部の一例である。鑑別部１０２による鑑別結果が、リジェクトポケット１０４への搬送対象外で、かつ、予め紙幣処理装置１０における結束対象と定められている鑑別種別に該当しない場合には、鑑別され、搬送された紙幣は、オープンポケット１０６に格納される。オープンポケット１０６に格納される紙幣としては、予め結束対象と定められている鑑別種別が正券とされている場合には、損券がその一例として挙げられる。また、オープンポケット１０６は、図１に示した例においては、紙幣処理装置１０内の上方に設けられており、格納された紙幣を操作者が容易に回収することが可能である。なお、図１においては、オープンポケット１０６が２つ設けられているが、本実施形態においては、オープンポケット１０６の数が２つに限定されるものではなく、１つ以上あればよい。
【００３０】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０ａ〜１１０ｅに集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。また、図１の例においては、表裏反転部１０８は、操作者から見て、紙幣処理装置１０内の鑑別部１０２の後ろに設けられている。また、表裏反転部１０８は、鑑別部１０２と集積部１１０ａ〜１１０ｅの間に設けられている。そして、表裏反転部１０８は、基本的には、搬送先が各集積部１１０ａ〜１１０ｅである紙幣だけが搬送される。
【００３１】
（集積部１１０ａ〜１１０ｅ）
各集積部１１０ａ〜１１０ｅは、基本的には、鑑別部１０２による鑑別結果が予め結束対象と定められている鑑別種別に該当する場合に、鑑別された紙幣が搬送され、かつ、搬送された紙幣を種別ごとに、集積する部位である。各集積部１１０ａ〜１１０ｅは、例えば操作者側に設けられた扉１３４を開けることによって、操作者によってアクセスすることができる。扉１３４には、電磁ロック等の施錠機構（図示省略）及び扉１３４の開閉を検知する開閉センサ（図示省略）が設けられており、後述の制御部１２８が、施錠機構及び開閉センサを制御することにより、扉の施錠を制御し、操作者による扉１３４の開閉を検知することができる。また、各集積部１１０ａ〜１１０ｅは、予め定められた結束枚数（例えば１００枚）まで集積可能である。そして、各集積部１１０ａ〜１１０ｅに集積されている紙幣の枚数が結束枚数に達した場合には、集積されている紙幣は全て移送部１１２に搬送される。なお、図１の例においては、紙幣処理装置１０内の下方に、５個の集積部１１０ａ〜１１０ｅが縦一列に設けられているが、本実施形態においては、５個の集積部１１０に限定されるものではない。集積部１１０は、紙幣処理装置１０内に少なくとも２個以上設けられればよいが、紙幣処理装置１０において取り扱う金種の種類よりも多い数設けられることが好ましい。
【００３２】
各集積部１１０ａ〜１１０ｅには、集積された紙幣の容量を検知するための集積部用検知部１３２が設けられている。集積部用検知部１３２は、例えば光学式センサであることができ、集積部１１０に集積された紙幣によって光が遮られることにより集積された紙幣の容量を検知することができる。そして、集積部用検知部１３２は、取得した検知結果を制御部１２８に伝達する。制御部１２８は、制御部１２８へと検知結果を伝達した集積部用検知部１３２の設置位置により、どの集積部１１０に集積された紙幣の容量の検知結果であるかを認識することができる。さらに、集積部１１０における集積部用検知部１３２の設置高さにより、その高さにまで紙幣が集積されたこと、すなわち、集積された紙幣の容量を認識することができる。具体例としては、集積部用検知部１３２が、予め定められた結束枚数（例えば１００枚）に対応する高さに設置されていれば、集積部用検知部１３２が集積された紙幣によって光が遮られていることを検知した場合には、制御部１２８は、集積部１１０ａ〜１１０ｅ内に予め定められた結束枚数の紙幣が集積されていると認識することができる。
【００３３】
さらに、各集積部１１０ａ〜１１０ｅに集積される紙幣の金種は、後述する制御部１２８によって、なるべく紙幣処理装置１０における紙幣整理処理の処理時間が短くなるように、処理中にフレキシブルに割り当てられる。詳細には、鑑別部１０２によって紙幣処理装置１０への新たな金種の取込が認識された場合には、制御部１２８は、新たに認識された金種を、紙幣を集積していない空の集積部１１０に割当てる。この際、制御部１２８は、空の複数の集積部１１０のうち、なるべく紙幣結束部１１４に近い（図１においては、なるべく下方に位置する）集積部１１０に、当該金種を割当てる。先に説明したように、各集積部１１０ａ〜１１０ｅに所定の枚数の紙幣が集積された場合には、集積された紙幣は、所定の結束枚数ごとに結束するために、集積部１１０の下方に位置する紙幣結束部１１４に、移送部１１２によって移送される（なお、紙幣結束部１１４及び移送部１１２については、後で詳細を説明する）。したがって、紙幣処理装置１０における処理時間をより短くするためには、移送部１１２が集積部１１０から紙幣結束部１１４まで移動する距離が短くなるほど好ましい。したがって、制御部１２８は、なるべく紙幣結束部１１４に近い集積部１１０から使用するように、金種を割り当てる。
【００３４】
また、制御部１２８は、処理時間を短くするだけでなく、記憶部１２４に記録された各集積部１１０ａ〜１１０ｅの使用頻度をも参照して、処理時間を短くしつつ、なるべく均等に各集積部１１０ａ〜１１０ｅが使用されるように、金種を割当ててもよい。
【００３５】
（移送部１１２）
移送部１１２は、各集積部１１０ａ〜１１０ｅから搬送された結束枚数の紙幣を紙幣結束部１１４へ移送する部位である。図１においては簡略化して示しているが、移送部１１２は、紙幣処理装置１０内に設けられ、紙幣処理装置１０の内部を図１の上下方向に集積部１１０ａ〜１１０ｅと紙幣結束部１１４との間を移動する。例えば、移送部１１２は、各集積部１１０ａ〜１１０ｅから所定枚数（例えば、１００枚）の紙幣を、クランプ部１１２ａを用いてクランプして抜き取り、上下移動手段１１２ｂによりクランプ部１１２ａを下降させて、紙幣結束部１１４に受け渡す。
【００３６】
（紙幣結束部１１４）
紙幣結束部１１４は、紙幣処理装置１０内に設けられ、移送部１１２から移送された所定の結束枚数の紙幣に対して、例えばテープを巻き付けて結束することにより、紙幣束を作成する。詳細には、紙幣結束部１１４は、紙幣束を紙幣結束部から、操作者側（図１中左側）に位置する放出口（図示省略）へ搬送するための紙幣束搬送部と、紙幣束を結束するテープを供給するテープ供給部と、テープを切断する切断部と、テープで紙幣を結束する結束機構と、テープに印字する印字部等を備えることができる。
【００３７】
（搬送部１１６）
搬送部１１６は、紙幣を各集積部１１０等の搬送先へ搬送する。詳細には、搬送部１１６は、図１中において帯状に示され、取込部１００から、鑑別部１０２及び表裏反転部１０８を貫き、集積部１１０ａ〜１１０ｅ等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１２８により制御されて各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００３８】
なお、搬送部１１６は、取込部１００から鑑別部１０２内を貫く第１の領域１１６ａと、鑑別部１０２の排出口１０２ａからオープンポケット１０６、リジェクトポケット１０４のそれぞれまで連続する第２の領域１１６ｂと、鑑別部１０２の排出口１０２ａから表裏反転部１０８を経由して扉１３４付近のコーナー部にある地点Ａ（図１中Ａで示される）までの第３の領域１１６ｃと、地点Ａから各集積部１１０ａ〜１１０ｅまで連続する第４の領域１１６ｄとを有する。
【００３９】
地点Ａの詳細について説明する。図２は、紙幣処理装置１０の筐体７００にある開口部周辺４００を拡大した模式図である。図２（ａ）は扉１３４が閉まっている状態を図示しており、図２（ｂ）は扉１３４が開いている状態を図示している。扉１３４は、紙幣処理装置１０の筐体７００の前面にあり、紙幣処理装置１０の外部と集積部１１０との間に位置する開口部７１０を開閉する。搬送部１１６は、扉１３４の上部付近にある地点Ａにおいて、第３の領域１１６ｃと第４の領域１１６ｄに分けることができる。第３の領域１１６ｃを通る紙幣は、第３の領域１１６ｃの開口部３２０から、開口部３２０よりも口が広いラッパ形状の開口部３３０を経由して、第４の領域１１６ｄへ受け渡される。第４の領域１１６ｄは、扉１３４と集積部１１０との間に位置し、さらに扉１３４と一体に構成されている。そのため、扉１３４は第４の領域１１６ｄを伴って開けることができる（図２（ｂ））。これにより、各集積部１１０ａ〜１１０ｅは、扉１３４を開けることによって、操作者によってアクセスすることができる。
【００４０】
（検知部１１８）
検知部１１８は、図１中において向かい合う一対の三角形で示され、紙幣処理装置１０内の搬送部１１６の各所に複数設けられている。例えば、搬送部１１６の第３の領域１１６ｃと第４の領域１１６ｄにおける、紙幣の搬送状態を検知し、得られた検知結果を制御部１２８に伝達する。制御部１２８は、検知結果と、制御部１２８へと検知結果を伝達した検知部１１８の設置位置とにより、搬送異常およびそれが生じた位置を認識することができる。なお、検知部１１８としては、紙幣により光が遮られることにより搬送状態を検知する受発光センサからなる光学式センサ等を用いることができる。また、検知部１１８は、図１に示す数や位置に限定されるものではなく、適宜、紙幣処理装置１０内に設けられていればよい。例えば、後述するように、集積部１１０ａ〜１１０ｅにも検知部１１８が備えられている。
【００４１】
具体的には、検知部１１８が受発光センサである場合には、検知部１１８は、光を発する発光センサと、発光センサからの光を受光する受光センサとで構成され、これら受発光センサによって搬送中の紙幣の紙幣面を上下から挟み込むように搬送部１１６の各所に設けられる。このような受発光センサにより構成される検知部１１８は、検知部１１８の受発光センサの間を通過する紙幣により、発光センサからの光が遮られ、受光センサによって光が受光できない状態になることによって、紙幣の搬送状態を検知することができる。また、制御部１２８は、検知部１１８の検知結果に基づいて、光が遮られている時間、すなわち、搬送中の紙幣を検知している検知時間を計測することができる。さらに、制御部１２８は、搬送部１１６を制御することにより、検知部１１８の受発光センサの間を通過する紙幣の搬送速度を認識することができ、検知部１１８による理論上の検知時間（１枚の紙幣を検知する時間、すなわち、１枚の紙幣が検知部１１８の受発光センサの間を通過する時間）を算出することができる。したがって、制御部１２８は、検知部１１８の実際の検知時間と理論上の検知時間とを比較し、実際の検知時間が理論上の検知時間よりも長くなった場合に、例えば２枚の紙幣同士が重ねっているような搬送異常を検知することができる。
【００４２】
また、紙幣処理装置１０においては、取込部１００において一定時間ごとに１枚の紙幣を取り込むことにより、搬送中の紙幣と紙幣との間隔を適正な距離に保っている。したがって、制御部１２８は、先に説明したように検知部１１８の受発光センサの間を通過する紙幣の搬送速度を認識することができるため、検知部１１８による先の紙幣の検知の終了から次の紙幣の検知の開始までの理論上の検知インターバル時間を算出することができる。そして、制御部１２８は、検知部１１８によって実際に得られた検知インターバル実測時間と、理論上の検知インターバル時間とを比較し、実際の検知インターバル時間が理論上の検知インターバル時間よりも短い場合に、例えば２つの紙幣が異常に近接しているような搬送異常を検知することができる。
【００４３】
さらに、検知部１１８は、発光センサと受光センサとの一対で構成される検知部１１８を２つ組み合わせて用いることができる。具体的には、組み合わされた２つの検知部１１８は、一方の検知部１１８と他方の検知部１１８とで搬送中の紙幣の紙幣面と平行な面内において紙幣を両側から挟み込むように、搬送部１１６の両サイドに設けられる。すなわち、２つの検知部１１８は、各検知部１１８が搬送中の紙幣の紙幣面と平行な面内において搬送部１１６の延びる向きに対して垂直な方向に沿って紙幣を挟み込むように、設置される。このように設置された組み合わされた２つの検知部１１８においては、長方形状の紙幣が搬送部１１６の延びる方向に沿った正しい方向を向いた状態（すなわち、紙幣の長辺の向きが搬送部１１６の延びる方向と同じ状態）で搬送されていれば、当該紙幣によって同じ検知時間を得ることができる。一方、スキュー、すなわち、紙幣が上記正しい方向から斜めに傾いた方向を向いた状態（すなわち、紙幣の長辺の向きが搬送部１１６の延びる方向に対して斜めに傾いた状態）で搬送されていれば、この紙幣によって光が遮られる時間は、紙幣が傾いて搬送されていることから、搬送部１１６の両サイドで異なる。したがって、組み合わされた２つの検知部１１８においては、この紙幣によって異なる検知時間を得ることとなる。よって、制御部１２８は、搬送部１１６の両サイドに設けられた２つの検知部１１８が異なる検知時間を得たことにより、スキュー紙幣のような搬送異常を検知することができる。
【００４４】
なお、本実施形態においては、検知部１１８の形態は、上述の形態に限定されるものではなく、紙幣の搬送状態もしく搬送異常が検知できれば、他の形態であってもよい。
【００４５】
（操作表示部１２０）
操作表示部１２０は、本実施形態における表示部の一例である。操作表示部１２０は、図１においては、紙幣処理装置１０の上に位置し、操作者と向かい合う。さらに、操作表示部１２０は、紙幣処理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は、例えばタッチパネルにより実現される。操作表示部１２０は、後述する制御部１２８の制御に従って、各種の操作画面、計数結果やエラーメッセージなどを表示し、操作者による紙幣処理装置１０に対する各種の入力操作を受け付け、制御部１２８に伝達する。なお、操作表示部１２０の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよい。さらに、操作機能及び表示機能を有する各部位又は単一の部位が、紙幣処理装置１０の外部に位置していてもよい。
【００４６】
（操作部１２２）
操作部１２２は、本実施形態における操作部の一例である。操作部１２２は、図１においては、紙幣処理装置１０の上に位置する。操作部１２２には、例えば、操作者によって紙幣の計数を紙幣処理装置１０へ指示する機械式ボタン（図示省略）、操作者によって紙幣処理の完了を指示する機械式ボタン（図示省略）、紙幣処理装置１０に障害が生じた場合に紙幣処理装置１０を再稼働させる機械式のリセットボタン（図示省略）等を含むことができる。また、操作部１２２には、紙幣処理装置１０の処理状態を示すランプ（図示省略）が取り付けられており、例えば、このランプは、処理中には緑色に発光し、障害が発生した場合には赤色に発光することができる。なお、これらの操作部１２２の機能は、操作表示部１２０によって実現してもよい。
【００４７】
（記憶部１２４）
記憶部１２４は、例えば紙幣処理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２４は、例えば、制御部１２８が使用する制御プログラム、制御部１２８が用いる各種情報や鑑別部１０２による鑑別の際に用いられる情報が格納されるほか、鑑別部１０２による鑑別結果、計数結果および鑑別された紙幣に関する処理状況が対応づけて記憶される。さらに、具体的には、記憶部１２４に記憶される鑑別結果としては、紙幣の種別（金種）、紙幣の正損、紙幣の表裏、搬送先等が挙げられる。ここで、表裏とは、鑑別時における該当の紙幣の表裏の向きのことであり、搬送先とは、該当の紙幣が搬送される格納先のことである。なお、記憶部１２４は、紙幣処理装置１０の外部に設けられ、紙幣処理装置１０と通信ネットワークで接続されていてもよい。
【００４８】
（外部インターフェース部１２６）
外部インターフェース部１２６は、例えば紙幣処理装置１０内に設けられ、例えば通信ネットワークを介して外部装置との間で通信を行う通信インターフェースである。具体的には、外部インターフェース部１２６は、外部装置からの指示を受け取ったり、外部装置へ情報を通信したりすることができる。なお、外部インターフェース部１２６は、紙幣処理装置１０の外部に設けられ、紙幣処理装置１０と通信ネットワークで接続されていてもよい。
【００４９】
（制御部１２８）
制御部１２８は、例えば紙幣処理装置１０内に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、制御部１２８は、操作表示部１２０からの入力や外部インターフェース部１２６が受け入れた外部装置（例えば、制御端末）からの情報に基づいて、記憶部１２４から所定のプログラムを読み出して実行することにより、操作表示部１２０、鑑別部１０２等の紙幣処理装置１０の各所を制御することができる。また、制御部１２８は、計数の完了を検知したり、各集積部１１０に集積する紙幣の金種を割当てたり、鑑別部１０２による紙幣の鑑別結果に基づいて、もしくは、検知部１１８の検知結果に基づいて、紙幣の搬送先を決定したりすることができる。なお、制御部１２８は、紙幣処理装置１０の外部に設けられ、紙幣処理装置１０と通信ネットワークで接続されていてもよい。
【００５０】
＜比較例の紙幣処理装置における集積部の実施形態＞
上記した紙幣処理装置の基本構成を踏まえ、比較例の紙幣処理装置における集積部の実施形態について、図３〜５を用いて説明する。以下、比較例の紙幣処理装置における集積部を、集積部１１０に変えて集積部５００とする場合がある。
【００５１】
集積部５００は、紙幣処理装置１０の扉１３４を開けることによって、例えば、操作者によってアクセス可能である（図２）。図３は、比較例の集積部の構成を示す正面模式図であり、集積部５００にアクセスした操作者からは、図３のように集積部５００を見ることができる。ここで、集積部５００は、図１の集積部１１０ａ〜１１０ｅのうち、任意に１つを選択して示したものであり、集積部１１０ａ〜１１０ｅのいずれであってもよい。
【００５２】
集積部５００は、紙幣を集積する集積ステージ５１０を備える第１集積ベース５２０と、第１集積ベース５２０を載置する第２集積ベース５３０とを備える。紙幣を集積する集積ステージ５１０は、紙幣を載置する載置部５１０ａと、載置部５１０ａを支持し、弾性を有する板ばね５１０ｂで構成されている。集積ステージ５１０は、例えば第１集積ベース５２０の上面部５２０ａに両面テープ等で貼り付けられている。
【００５３】
第１集積ベース５２０は、上面部５２０ａにネジ穴５２０ｂを有し、第２集積ベース５３０の上面部５３０ａのネジ穴５３０ｂと共に、ネジ５４０で上方から固定されている。ネジ穴５２０ｂ及びネジ穴５３０ｂは鉛直方向に貫通している。そして、第１集積ベース５２０は、左右に第１集積ベース側面部５２１を備える。第１集積ベース側面部５２１はネジ穴５２１ａを有し、集積部５００の筐体５５０のネジ穴５５０ａと共に、筐体５５０の外側からネジ５６０で固定されることにより、第１集積ベース５２０は筐体５５０に取り付けられている。
【００５４】
図４は、図３の比較例の集積部の構成を示す側面模式図であり、筐体５５０およびネジ５６０を図示せずに、集積部５００を側面から見た図である。第１集積ベース５２０および第２集積ベース５３０は、集積ステージ５１０の上の紙幣の有無や、集積部５００から紙幣が取り出されることを検知するための複数のセンサ５７０（図３において図示省略）がそれぞれ実装されている（図４）。センサ５７０は、例えば第１集積ベース５２０および第２集積ベース５３０を板金加工することで下方に折り曲げられて設けられた、センサ実装部５２５及び５３５に実装されている。また、集積ステージ５１０、第１集積ベース５２０および第２集積ベース５３０には、センサ５７０が紙幣を検知できるよう、任意に開口部（図示省略）が設けられている。
【００５５】
図５は、図４の比較例の集積部の第１集積ベースと第２集積ベースを分離した状態を示す側面模式図である。ネジ５４０を外して分離された第１集積ベース５２０（図５（ａ））と、第２集積ベース５３０（図５（ｂ））には、それぞれセンサ５７０が実装されている。第１集積ベース５２０は、第２集積ベース５３０よりもセンサ５７０を多く備える。
【００５６】
（比較例の紙幣処理装置における集積部５００の課題）
上記により説明した集積部５００において、ジャム除去等により、集積ステージ５１０から紙幣を取り除く際に、操作者が板ばね５１０ｂを変形させてしまうおそれがある。板ばねの５１０ｂが変形してその変形量が大きくなった場合、紙幣の集積不良の原因となるため、集積ステージ５１０を交換する必要がある。
【００５７】
集積ステージ５１０は、紙幣を確実に集積するため、第１集積ベース５２０の上面に正確に位置決めして貼り付けることを要する。そのため、第１集積ベース５２０が集積部５００の筐体５５０に取り付けられた状態で、第１集積ベース５２０から集積ステージ５１０のみを取り出すことは困難である。よって、集積ステージ５１０を取り出すためには、第１集積ベース５２０と共に取り出す必要がある。
【００５８】
しかしながら、第１集積ベース５２０は、第２集積ベース５３０の上面に、ネジ５４０で上方から固定されている。ネジ穴５２０ｂ及びネジ穴５３０ｂは鉛直方向に貫通しているため、ネジ５４０の中心軸も鉛直方向と平行である。また、紙幣処理装置１０の５個の集積部１１０ａ〜１１０ｅは、縦一列に設けられており（図１）、集積部１１０ａ〜１１０ｅの縦方向の間隔が狭い。そのため、上方から固定するネジ５４０を外すために、通常の長さのドライバー等の締結用工具を用いることができず、第１集積ベース５２０が集積部５００の筐体５５０に取り付けられた状態で、第１集積ベース５２０を第２集積ベース５３０から取り外すことは困難である。
【００５９】
また、第１集積ベース５２０は、左右に備える第１集積ベース側面部５２１によって、集積部５００の筐体５５０に筐体５５０の外側からネジ５６０で固定されている。紙幣処理装置１０の内部には、筐体５５０の外側からネジ５６０を外すためのスペースが確保さていない。そのため、集積部５００が紙幣処理装置１０に搭載されて固定されている状態において、第１集積ベース５２０を集積部５００から取り外すことは困難である。
【００６０】
さらに、第１集積ベース５２０は、第２集積ベース５３０よりもセンサ５７０を多く備えており、センサ５７０は通電可能とするためのコードを備えている。そのため、第１集積ベース５２０を第２集積ベース５３０や筐体５５０から取り外せたとしても、センサ５７０のコードが多数あるため、第１集積ベース５２０を紙幣処理装置１０から外部へ取り出すことは困難である。
【００６１】
上記に課題おいて説明したように、比較例の紙幣処理装置における集積部５００において、集積ステージ５１０を取り出すことは困難である。
【００６２】
＜本発明の実施形態の紙幣処理装置における集積部＞
次に、上記の課題を解決する、本発明の実施形態の紙幣処理装置における集積部について、図６〜１２を用いて説明する。
【００６３】
集積部１１０は、紙幣処理装置１０の扉１３４を開けることによって、開口部７１０を介して操作者によってアクセスされることができる（図２）。図６は、本発明の実施形態の集積部の構成を示す正面模式図であり、集積部１１０にアクセスした操作者からは、図６のように集積部１１０を見ることができる。ここで、集積部１１０は、図１の集積部１１０ａ〜１１０ｅのうち、任意に１つを選択して示したものであり、集積部１１０ａ〜１１０ｅのいずれであってもよい。
【００６４】
ここで、開口部７１０は、図１、２において紙幣処理装置１０の筐体７００の前面にあり、紙幣処理装置１０の外部と集積部１１０との間に位置するが、本発明の実施形態において、開口部はこの位置に限定されない。本発明の実施形態において、開口部７１０は紙幣処理装置１０の筐体７００の一面であって、紙幣処理装置１０の外部ならびに集積部１１０の第１集積ベース６２０および第２集積ベース６３０との間に備えられることができる。開口部７１０がこのように備えられることで、操作者が外部から集積部１１０の第１集積ベース６２０および第２集積ベース６３０へアクセスすることが容易となる。このようなアクセスが容易であれば、開口部７１０は、例えば筐体７００の側面や裏面に備えられることができる。
【００６５】
また、扉１３４は、開口部７１０が備えられる位置に応じて、開口部７１０を開閉できるように適宜備えられることができる。すなわち、本発明の実施形態において、紙幣処理装置１０は、開口部７１０を開閉するよう、媒体処理装置の筐体７００の一面であって、紙幣処理装置１０の外部ならびに集積部１１０の第１集積ベース６２０および第２集積ベース６３０との間に扉１３４を備えることができる。
【００６６】
なお、紙幣処理装置１０の外部と開口部７１０との間、並びに開口部と集積部１１０との間には、扉１３４や扉及び扉１３４と一体に構成された第４の領域１１６ｄを除いて、紙幣処理装置１０を構成する移送部１１２等の構成部や部品等が備えられないことが好ましい。操作者が構成部や部品等を移動させることなく、または取り外すことなく、外部から集積部１１０の第１集積ベース６２０および第２集積ベース６３０へアクセスすることが、より容易となるからである。
【００６７】
以下、図６を用いた説明に戻る。集積部１１０は、紙幣を集積する集積ステージ６１０を備える第１集積ベース６２０と、第１集積ベース６２０を載置する第２集積ベース６３０とを備える。紙幣を集積する集積ステージ６１０は、紙幣を載置する載置部６１０ａと、載置部６１０ａを支持し、弾性を有する板ばね６１０ｂで構成されている。集積ステージ６１０は、例えば第１集積ベース６２０の上面部６２０ａに両面テープ等で貼り付けられている。
【００６８】
本発明の実施形態の紙幣処理装置１０において、集積ステージ６１０は、集積ステージ６１０と、第１集積ベース６２０および第２集積ベース６３０を含むアセンブリ６０５の最上部に位置することができる。ここで、アセンブリ６０５には、筐体６５０は含まれない。集積ステージ６１０がアセンブリ６０５の最上部に位置することで、ジャム除去等により、集積ステージ６１０から紙幣を取り除く作業をする際に、第１集積ベース６２０および第２集積ベース６３０が作業を阻害しないため、かかる作業が容易となる。
【００６９】
ここで、集積ステージ６１０が、弾性を有する板ばね６１０ｂを備えることについて、図１０及び１１を用いて説明する。図１０は、放出ローラから放出される紙幣と集積前の集積ステージの載置部との位置関係を示す側面模式図である。放出ローラ８００は、上部ローラ８１０と下部ローラ８２０を備える。図１０において矢印で示すように、紙幣９００は、上部ローラ８１０と下部ローラ８２０との間を通って、搬送部１１６の第４の領域１１６ｄから集積部１１０へ搬送され、載置部６１０ａへ載置される。放出ローラ８００が、例えば放出制御機構（図示省略）によって上部ローラ８１０および下部ローラ８２０の回転速度を制御することで、紙幣９００を載置部６１０ａへ載置することができる。例えば、放出ローラ８００は、紙幣９００を等速度で連続して放出することができる。
【００７０】
図１１は、放出ローラから放出される紙幣と集積中の集積ステージの載置部との位置関係を示す側面模式図である。放出ローラ８００から紙幣９００が連続して放出され、載置部６１０ａに載置されていくことで、紙幣９００が集積されて集積物９１０となる。図１０において、載置部６１０ａに紙幣が載置されていない状態における、放出される際の紙幣９００の下面９００ａと載置部６１０ａの上面６１０ｃとの距離を距離Ｘとする。そして、図１１において、下面９００ａと載置部６１０ａの上に集積した集積物９１０の上面９１０ａとの距離を距離Ｙとする。距離Ｘと距離Ｙは、略同距離であることが好ましい。紙幣９００が連続して載置部６１０ａへ放出されて載置される間、放出ローラ８００が紙幣９００を等速度で連続して放出する場合において、さらに紙幣９００が放出されてから載置されるまでの距離（距離Ｘおよび距離Ｙ）が略同距離であることにより、紙幣９００を載置部６１０ａへより正確に載置することができるからである。紙幣９００を載置部６１０ａへ更に正確に載置するためには、距離Ｘ及び距離Ｙは同距離であることがより好ましい。
【００７１】
このように、距離Ｘ及び距離Ｙを略同距離または同距離とする手段として、集積ステージ６１０は弾性を有する板ばね６１０ｂを備える。板ばね６１０ｂとしては、紙幣９００の重量に比例して変形量が大きくなるばねを用いることができる。紙幣９００が載置されていくと共に、このような板ばね６１０ａが変形して載置部６１０ａが下がっていくことにより、距離Ｘ及び距離Ｙを略同距離または同距離とすることができる。
【００７２】
本発明の実施形態において、集積ステージ６１０は、載置部６１０ａとバネ部６１０ｂは一体型構造とすることができる。このような一体型構造であれば、集積ステージ６１０を取り出すことがより容易となる。一体型構造としては、例えば載置部６１０ａとバネ部６１０ｂが同一部材であるものが挙げられる。例えば、板状の同一部材を折り曲げ加工して、載置部６１０ａ及びバネ部６１０ｂを形成し、集積ステージ６１０とすることができる。
【００７３】
以下、図６を用いた説明に戻る。第１集積ベース６２０は、正面に第１集積ベース正面部６２１を備え、ネジ６４０ａで第２集積ベース６３０に固定されている。第２集積ベース６３０は、左右に第２集積ベース側面部６３１を備える。第２集積ベース側面部６３１はネジ穴６３１ａを有し、集積部１１０の筐体６５０のネジ穴６５０ａと共に、筐体６５０の外側からネジ６４０ｂで固定されている。これにより、第２集積ベース６３０は筐体６５０に取り付けられている。
【００７４】
本発明の実施形態において、第２集積ベース６３０は、第２集積ベース６３０を支持する集積部１１０の筐体６５０と固着しており、第１集積ベース６２０は筐体６５０と固着していない態様とすることができる。集積ステージ６１０を備える第１集積ベース６２０に替えて、第２集積ベース６３０が筐体６５０と固着していることにより、集積ステージ６１０を筐体６５０から取り外すことを要しないため、集積ステージ６１０を取り出すことが容易となる。また、図６において、ネジ６４０ｂにより、第２集積ベース６３０が筐体６５０に取り付けられているが、本発明の実施形態はこれに限定されない。例えば、ネジ６４０ｂに替えて、ボルト等の締結部材を用いることができる。また、接着剤や溶接等により、第２集積ベース６３０を筐体６５０と固着して支持することができる。
【００７５】
次に、図７を用いて説明する。図７は、図６の本発明の実施形態の集積部の構成を示す側面模式図であり、筐体６５０およびネジ６４０ｂを図示せずに、集積部１１０を側面から見た図である。第１集積ベース６２０は、第２集積ベース６３０と固着するための固着部となる第１集積ベース正面部６２１を備える。第１集積ベース正面部６２１は、ネジ穴６２１ａを備える。第２集積ベース６３０は、第１集積ベース６２０と固着するための固着部となる第２集積ベース正面部６３２を正面に備える。第２集積ベース正面部６３２は、ネジ穴６３２ａを備える。ネジ６４０ａがネジ頭６４０ｃを開口部７１０側として、開口部７１０側からネジ穴６２１ａとネジ穴６３２ａを締結することにより、第１集積ベース６２０は、第２集積ベース６３０と固定される。また、第１集積ベース６２０および第２集積ベース６３０は、集積ステージ６１０の上の紙幣の有無や、集積部１１０から紙幣が取り出されることを検知するための複数のセンサ６７０（図６において図示省略）がそれぞれ実装されている（図７）。センサ６７０は、例えば第１集積ベース６２０および第２集積ベース６３０を板金加工することで下方に折り曲げられて設けられた、センサ実装部６２５及び６３５に実装されている。また、集積ステージ６１０、第１集積ベース６２０および第２集積ベース６３０には、センサ６７０が紙幣を検知できるよう、任意に開口部（図示省略）が設けられている。
【００７６】
図７において、ネジ６４０ａがネジ穴６２１ａとネジ穴６３２ａを締結することにより、第１集積ベース６２０が第２集積ベース６３０に固定されるが、本発明の実施形態はこれに限定されない。本発明の実施形態において、第１集積ベースは、鉛直方向から開口部側に傾斜した方向に貫通する第１貫通孔を備え、第２集積ベースは、鉛直方向から開口部側に傾斜した方向に貫通し、第１貫通孔に対応する第２貫通孔を備え、第１貫通孔と第２貫通孔は、同一の貫通部材によって挿通されて固着されていてもよい。すなわち、第１集積ベース６２０は、鉛直方向から開口部７１０側に傾斜した方向に貫通する第１貫通孔（図７においてネジ穴６２１ａ）を備え、第２集積ベース６３０は、鉛直方向から開口部７１０側に傾斜した方向に貫通し、第１貫通孔に対応する第２貫通孔（図７においてネジ穴６３２ａ）を備え、第１貫通孔と第２貫通孔は、同一の貫通部材（図７においてネジ６４０ａ）によって挿通されて固着されている態様とすることができる。比較例における集積部５００の場合には、第１集積ベース５２０と第２集積ベース５３０は、ネジ５４０で上方から固定されており、ネジ穴５２０ｂ及びネジ穴５３０ｂは鉛直方向に貫通しているため、ネジ５４０の中心軸も鉛直方向と平行である。そのため、ドライバー等でネジ５４０を外すことができないが、本発明の実施形態において、ネジ穴６２１ａ及びネジ穴６３２ａが鉛直方向から開口部７１０側に傾斜した方向に貫通する。このように傾斜して貫通することで、ネジ頭、ボルトの頭、またはナット等が集積部１１０にアクセスした操作者の方へ向くこととなるため、比較例と比べて、第１集積ベース６２０を第２集積ベース６３０から取り外すことが容易となる。
【００７７】
本発明の実施形態おいて、第１貫通孔及び第２貫通孔は、開口部の開口面と交差する方向に貫通することができる。この態様について、図１２を用いて説明する。図１２は、開口面と交差する貫通部材等の方向について示す図である。図１２（ａ）は、紙幣処理装置１０の筐体７００にある開口部周辺４００を模式的に拡大した斜視図である。搬送部１１６の第４の領域１１６ｄ及び紙幣処理装置１０の内部の集積部１１０等は図示を省略する。縦に長手方向を有する長方形状の開口部７１０は、辺７２０ａ〜７２０ｄを輪郭とし、これらの辺で囲まれた開口面７２０を有する。なお、辺７２０ａ〜７２０ｄは開口面７２０と筐体７００との境界となり得る。
【００７８】
図１２（ｂ）は、開口面７２０について辺７２０ｄ（図１２（ａ））を手前側として側面から図示し、開口面７２０と交差するネジ穴６２１ａ等の貫通方向等について示す図である。第１集積ベース６２０のネジ穴６２１ａと第２集積ベース６３０のネジ穴６３２ａは、同一のネジ６４０ａによって締結されている。ネジ穴６３２ａはネジ穴６２１ａに対応しており、ネジ穴６２１ａとネジ穴６３２ａは、図１２（ｂ）において一点鎖線で示すように、貫通方向が同一である。ネジ穴６３２ａはネジ穴６２１ａに対応せず、貫通方向が同一でない場合には、ネジ穴６２１ａとネジ穴６３２ａは同一のネジ６４０ａで締結され得ない。
【００７９】
また、ネジ穴６２１ａとネジ穴６３２ａの貫通方向は、開口部７１０の開口面７２０と交差する方向に貫通する（図１２（ｂ））。貫通方向が開口面７２０と交差することにより、例えば操作者がドライバー等によりネジ６４０ａを取り外す場合、ドライバーの柄等が筐体７００に当たり難くなるため、取り外しが容易となる効果がある。この効果は、貫通方向が開口面７２０と交差すれば得られ、貫通方向の上下方向については、貫通方向が開口面の上端に相当する辺７２０ａから開口面の下端に相当する辺７２０ｂの範囲内であればよい。貫通方向が上端から下端の範囲内を越えると、筐体７００によって締結が困難となる場合がある。
【００８０】
図１２（ｂ）において、貫通方向の上端から下端について説明したが、貫通方向の左端および右端についても同様である。すなわち、貫通方向の左右方向については、ネジ穴６２１ａとネジ穴６３２ａの貫通方向が開口面７２０の辺７２０ｃから辺７２０ｄの範囲内であれば、ネジ６４０ａによる取り外しが容易となる。更に、貫通方向が開口面７２０の頂点と交差する場合にも、同様の効果が得られる。
【００８１】
また、開口面７２０が図１２（ａ）で示したもの以外の多角形形状の場合には、貫通方向が多角形の辺と接する方向の範囲内の場合及び頂点と交差する場合であれば、ネジ６４０ａによる取り外しが容易となる。また、開口面７２０が円形状の場合には、貫通方向が円周と接する方向の範囲内であれば、ネジ６４０ａによる取り外しが容易となる。なお、第１貫通孔（ネジ穴６２１ａ）及び第２貫通孔（ネジ穴６３２ａ）が開口部７１０の開口面７２０と交差する方向に貫通する実施形態は、第１貫通孔（ネジ穴６２１ａ）が鉛直方向から開口部７１０側に傾斜した方向に貫通し、第２貫通孔（ネジ穴６３２ａ）が鉛直方向から開口部７１０側に傾斜した方向に貫通し、第１貫通孔（ネジ穴６２１ａ）に対応しており、第１貫通孔（ネジ穴６２１ａ）と第２貫通孔（ネジ穴６３２ａ）が同一の貫通部材（ネジ６４０ａ）によって挿通されて固着されている実施形態に含まれ得る。
【００８２】
本発明の実施形態において、第１貫通孔及び第２貫通孔は、開口部の開口面に対して略垂直方向に貫通することが好ましい。すなわち、ネジ穴６２１ａとネジ穴６３２ａは開口部７１０の開口面７２０に対して略垂直方向に貫通していることにより、集積部１１０ａ〜１１０ｅ（図１、図２）のいずれにあるネジ穴６２１ａおよびネジ穴６３２ａからネジ６４０ａを取り外す場合であっても、ドライバーの柄等が筐体７００に当たり難くなるため、取り外しが容易となる。例えば、集積部１１０ｅは、集積部１１０ａ〜１１０ｅの最下層に位置し、操作者にとって開口部７１０の最も下側に位置する（図１）。このような集積部１１０ｅについて、ネジ穴６２１ａおよびネジ穴６３２ａからネジ６４０ａを取り外す場合、開口面７２０の下辺である辺７２０ｂを境界として筐体７００があるために、ドライバーの柄等が筐体７００に当たるおそれがある。ただし、ネジ穴６２１ａとネジ穴６３２ａが、開口部７１０の開口面７２０に対して略垂直方向に貫通していれば、ドライバーの柄等が筐体７００に当たり難くなり、ネジ６４０ａを取り外すことが容易となる。更に、ネジ穴６２１ａとネジ穴６３２ａが、開口部７１０の開口面７２０に対して垂直方向であれば、ドライバー等による締結が更に容易となる。なお、この場合において、開口部７１０の開口面７２０が鉛直方向と平行な場合、第１貫通孔（ネジ穴６２１ａ）及び前記第２貫通孔（ネジ穴６３２ａ）は、鉛直方向と直交する方向に貫通することとなる。また、第１貫通孔（ネジ穴６２１ａ）及び第２貫通孔（ネジ穴６３２ａ）が開口部７１０の開口面７２０に対して略垂直方向に貫通する実施形態は、第１貫通孔（ネジ穴６２１ａ）が鉛直方向から開口部７１０側に傾斜した方向に貫通し、第２貫通孔（ネジ穴６３２ａ）が鉛直方向から開口部７１０側に傾斜した方向に貫通し、第１貫通孔（ネジ穴６２１ａ）に対応しており、第１貫通孔（ネジ穴６２１ａ）と第２貫通孔（ネジ穴６３２ａ）が同一の貫通部材（ネジ６４０ａ）によって挿通されて固着されている実施形態に含まれ得る。
【００８３】
本発明の実施形態において、貫通部材の頭部は、開口部の開口面側を向いていることが好ましい。すなわち、ネジ６４０ａのネジ頭６４０ｃが開口面７２０側を向いていることにより、ネジ頭６４０ｃが集積部１１０にアクセスした操作者の方へ向くこととなるため、第１集積ベース６２０を第２集積ベース６３０から取り外すことが容易となる。ネジ頭６４０ｃが開口部７１０の開口面７２０と反対側を向いていると、ネジ頭６４０ｃが集積部１１０にアクセスした操作者とは反対の方を向くこととなるため、ネジ６４０ａを取り外すことが困難となる場合がある。
【００８４】
なお、図１２（ｂ）等において、第１貫通孔としてネジ穴６２１ａ、第２貫通孔としてネジ穴６３２ａ、および貫通部材としてネジ６４０ａを例に挙げて説明したが、本発明の実施形態はこれらに限定されない。例えば、貫通部材としてボルトやナット等の締結部材等を用いることができる。また、第１貫通孔および第２貫通孔は、内部形状として雌ネジ形状の貫通孔を備える等、締結部材等の貫通部材が挿通されて固着されることのできる任意の貫通孔とされ得る。
【００８５】
本発明の実施形態において、第１貫通孔は、開口部と第２貫通孔との間に位置することが好ましい。すなわち、ネジ穴６２１ａ（第１貫通孔に相当する）は、開口部７１０とネジ穴６３２ａ（第２貫通孔に相当する）との間に位置することが好ましい（図７および図１２）。第１貫通孔がこのように位置することにより、ネジ穴６２１ａおよびネジ穴６３２ａからネジ６４０ａを取り外した後、操作者が単に開口部７１０を介して第１集積ベース６２０を手前に引き出すことにより、第１集積ベース６２０を紙幣処理装置１０から外部へ取り出すことができる。ネジ穴６３２ａが開口部７１０とネジ穴６２１ａとの間に位置する場合、ネジ６４０ａを取り外した後に操作者が第１集積ベース６２０を手前に引き出す際に、第１集積ベース６２０より手前にある第２集積ベース６３０のネジ穴６３２ａを配慮することを要する。そのため、第１集積ベース６２０を紙幣処理装置１０から外部へ取り出し難くなる場合がある。
【００８６】
次に、本発明の実施形態について図８を用いて説明する。図８は、図７の本発明の実施形態の集積部の第１集積ベースと第２集積ベースを分離した状態を示す断面模式図である。ネジ６４０ａを外して分離された第１集積ベース６２０（図８（ａ））と、第２集積ベース６３０（図８（ｂ））には、それぞれセンサ６７０が実装されている。第１集積ベース６２０は、第２集積ベース６３０よりもセンサ６７０を多く備える。
【００８７】
図７及び図８において、センサ６７０が実装されているが、本発明の実施形態における検知部はセンサ６７０に限定されない。本発明の実施形態において、第２集積ベース６３０は、第１集積ベース６２０よりも媒体の有無を検出する検知部を多く備えることができる。検知部としては、光学式センサ等を用いることができる。また検知部は、音波や電磁波等を利用する検知手段を備えることができる。
【００８８】
このように、第２集積ベース６３０は、第１集積ベース６２０よりも検知部を多く備えることにより、第１集積ベース６２０が備える検知部のコードが少なくなるため、第１集積ベース６２０を紙幣処理装置１０から外部へ取り出すことが容易となる。例えば、第１集積ベース６２０が備える検知部のコードのみを、第１集積ベース６２０を取り出せる程度に余裕のある長さとしておくことで、第１集積ベース６２０を紙幣処理装置１０から外部へ取り出すことができる。
【００８９】
また、第１集積ベース６２０は、検知部を備えていない態様とすることができる。コードへの配慮が不要となるため、第１集積ベース６２０を紙幣処理装置１０から外部へ取り出すことが、更に容易となる。
【００９０】
上記のように、第２集積ベース６３０が第１集積ベース６２０よりも検知部を多く備える場合、または第１集積ベース６２０が検知部を備えていない場合、検知部の数が足りないことにより、集積部１１０において紙幣の検知が十分にできなくなる場合がある。このような場合、本発明の実施形態において、第２集積ベース６３０は、検知部を備える第２集積ベース本体部と、第２集積ベースに固着する第２集積ベース追加部を備え、第２集積ベース追加部は、前記検知部を備える態様とすることができる。検知部を追加することができることにより、紙幣の検知を十分にすることができる。
【００９１】
上記の態様について、図９を用いてその一態様を説明する。図９は、本発明の実施形態において、第２集積ベースにセンサを備える第２集積ベース追加部を固着した態様を示す断面模式図である。第２集積ベース６３０は、センサ５７０を備える第２集積ベース本体部６３０ａと、第２集積ベース本体部６３０ａに固着する第２集積ベース追加部６３０ｂを備える。第２集積ベース追加部６３０ｂは、センサ５７０を実装可能な実装部６３０ｃを有しており、センサ５７０を備える。第２集積ベース追加部６３０ｂは、例えば鉄板等を板金加工して実装部６３０ｃを形成されることができる。また、第２集積ベース追加部６３０ｂは、溶接、接着、またはネジ等による締結等、任意の手段を用いて第２集積ベース本体部６３０ａに固着されることができる。
【００９２】
上記において、集積ステージ６１０を備える第１集積ベース６２０を紙幣処理装置１０から外部へ取り出すことについて説明した。取り出された第１集積ベース６２０は、粘着テープを用いて着脱する等、任意の方法により集積ステージ６１０を交換することができる。そして、集積ステージ６１０を交換した後の第１集積ベース６２０を紙幣処理装置１０へ設置する場合には、例えば上記にて説明した集積ステージ６１０を取り出す手順を応用して行うことができる。例えば、筐体７００の扉１３４を開けて、集積部１１０へアクセスし、第１集積ベース６２０を第２集積ベース６３０へ載置する。次に、第１集積ベース６２０のネジ穴６２１ａを第２集積ベース６３０のネジ穴６３２ａへ合わせて、ネジ頭６４０ｃが操作者側となるように、ドライバー等を用いてネジ６４０ａによりネジ穴６２１ａとネジ穴６３２ａを締結する。第１集積ベース６２０がセンサ５７０を備える場合には、適宜コードによるセンサ５７０への通電を確保する。そして、扉１３４を閉める。以上の手順により、集積ステージ６１０を紙幣処理装置１０へ設置することができる。
【００９３】
＜まとめ＞
上記において説明したように、本発明の紙幣処理装置における集積部１１０であれば、集積ステージ６１０を取り出すことは容易である。
【００９４】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更および組み合わせを行うことができる。これら実施形態およびその変形は、発明の範囲や要旨に含まれるとともに、特許請求の範囲に記載された発明とその均等の範囲に含まれる。
【符号の説明】
【００９５】
１０  紙幣処理装置
１００  取込部
１０２  鑑別部
１０４  リジェクトポケット
１０６  オープンポケット
１０８  表裏反転部
１１０、１１０ａ〜１１０ｅ、５００  集積部
１１２  移送部
１１２ａ  クランプ部
１１２ｂ  上下移動手段
１１４  紙幣結束部
１１６  搬送部
１１６ａ  第１の領域
１１６ｂ  第２の領域
１１６ｃ  第３の領域
１１６ｄ  第４の領域
１１８  検知部
１２０  操作表示部
１２２  操作部
１２４  記憶部
１２６  外部インターフェース部
１２８  制御部
１３２  集積部用検知部
１３４  扉
１５０  ローラ
１５４  収納空間
１５６  ガイド
１５８  ビルプレス
３２０、３３０、７１０  開口部
４００  開口部周辺
５１０、６１０  集積ステージ
５１０ａ、６１０ａ  載置部
５１０ｂ、６１０ｂ  板ばね
５２０、６２０  第１集積ベース
５２０ａ  上面部
５２０ｂ、５２１ａ、５３０ｂ、５５０ａ、６２１ａ、６３２ａ、６５０ａ  ネジ穴
５２１  第１集積ベース側面部
５２５、５３５、６２５、６３５  センサ実装部
５３０、６３０  第２集積ベース
５３０ａ、６２０ａ  上面部
５４０、５６０、６４０ａ、６４０ｂ  ネジ
５５０、６５０、７００  筐体
５７０、６７０  センサ
６０５  アセンブリ
６１０ｃ、９１０ａ  上面
６２１  第１集積ベース正面部
６３０ａ  第２集積ベース本体部
６３０ｂ  第２集積ベース追加部
６３０ｃ  実装部
６３１  第２集積ベース側面部
６３１ａ  ネジ穴
６３２  第２集積ベース正面部
６４０ｃ  ネジ頭
７２０  開口面
７２０ａ〜７２０ｄ  辺
８００  放出ローラ
８１０  上部ローラ
８２０  下部ローラ
９００  紙幣
９００ａ  下面
９１０  集積物
【図１】
0006716881.tif 000002
【図２】
0006716881.tif 000003
【図３】
0006716881.tif 000004
【図４】
0006716881.tif 000005
【図５】
0006716881.tif 000006
【図６】
0006716881.tif 000007
【図７】
0006716881.tif 000008
【図８】
0006716881.tif 000009
【図９】
0006716881.tif 000010
【図１０】
0006716881.tif 000011
【図１１】
0006716881.tif 000012
【図１２】
0006716881.tif 000013